(57)【要約】【課題】防災行政無線システムで、同時刻に地区毎で異なる音源の音声放送を行なう。【解決手段】無線親局装置１０において、同報対象エリア（Ａ地区）に含まれる各地区（ａ，ｂ）のうち、ａ地区の無線子局装置２０ａ，２０ｂに対しては、指定のメモリエリア番号“１”と選択した放送対象の音源Ａを付加したデータ登録制御信号を送信し、メモリエリア“１”に音源Ａを登録する。また、ｂ地区の無線子局装置２０ｃ〜２０ｅに対しては、指定のメモリエリア番号“１”と選択した放送対象の音源Ｂを付加したデータ登録制御信号を送信し、メモリエリア“１”に音源Ｂを登録する。そして、無線親局装置１０から同報対象エリア（Ａ地区）内の全無線子局装置２０ａ〜２０ｂを一括指定し、メモリエリア“１”を指定した放送制御信号を送信すると、ａ地区の子局２０ａ，２０ｂでは音源Ａの音声放送が行われ、ｂ地区の子局２０ｃ〜２０ｅでは音源Ｂの音声放送が行われる。【選択図】      図１
2018207155.tif 000002
【特許請求の範囲】
【請求項１】
親局装置と複数の子局装置とを備えた防災行政無線システムであって、
前記親局装置は、
前記子局装置を指定する子局指定手段と、
複数の音源データうち何れかを選択する音源選択手段と、
前記子局指定手段により指定された子局装置に対して前記音源選択手段により選択された音源データを送信する音源送信手段とを備え、
前記子局装置は、
前記親局装置の音源送信手段により当該子局装置を指定して送信された音源データを受信する音源受信手段と、
前記音源受信手段により受信された音源データを登録する音源登録手段とを備えた、
防災行政無線システム。
【請求項２】
前記親局装置は、さらに、
前記複数の子局装置を一括して指定する子局一括指定手段と、
前記子局一括指定手段により指定された前記複数の子局装置に対して放送制御信号を送信する放送信号送信手段とを備え、
前記子局装置は、さらに、
前記親局装置の放送信号送信手段により送信された放送制御信号を受信する放送信号受信手段と、
前記放送信号受信手段により受信された放送制御信号に応じて、前記音源登録手段により登録された音源データを出力する音源出力手段とを備えた、
請求項１に記載の防災行政無線システム。
【請求項３】
前記親局装置は、さらに、
前記子局装置の音源登録エリアを指定するエリア指定手段を備え、
前記音源送信手段は、前記子局指定手段により指定された子局装置に対して前記音源選択手段により選択された音源データを前記エリア指定手段により指定された音源登録エリアの指定情報と共に送信し、
前記子局装置において、
前記音源受信手段は、前記親局装置の音源送信手段により当該子局装置を指定して前記音源登録エリアの指定情報と共に送信された音源データを受信し、
前記音源登録手段は、前記音源受信手段により受信された音源データを当該音源データと共に受信された前記指定情報に対応する音源登録エリアに登録する、
請求項２に記載の防災行政無線システム。
【請求項４】
前記親局装置の放送信号送信手段は、
前記子局一括指定手段により指定された前記複数の子局装置に対して放送制御信号を前記エリア指定手段により指定された音源登録エリアの指定情報と共に送信し、
前記子局装置において、
前記放送信号受信手段は、前記親局装置の放送信号送信手段により前記音源登録エリアの指定情報と共に送信された放送制御信号を受信し、
前記音源出力手段は、前記放送信号受信手段により受信された放送制御信号に応じて、前記音源登録手段により前記指定情報に対応する音源登録エリアに登録された音源データを出力する、
請求項３に記載の防災行政無線システム。
【請求項５】
前記親局装置は、さらに、
前記子局指定手段により指定された子局装置に対して音源削除制御信号を送信する削除信号送信手段を備え、
前記子局装置は、さらに、
前記親局装置の削除信号送信手段により当該子局装置を指定して送信された音源削除制御信号を受信する音源削除受信手段と、
前記音源削除受信手段により受信された音源削除制御信号に応じて、前記音源登録手段により登録された音源データを削除する音源削除手段とを備えた、
請求項１ないし請求項４の何れか１項に記載の防災行政無線システム。
【請求項６】
複数の子局装置を備えた防災行政無線システムの親局装置であって、
子局装置を指定する子局指定手段と、
複数の音源データうち何れかを選択する音源選択手段と、
前記子局指定手段により指定された子局装置に対して前記音源選択手段により選択された音源データを送信して登録させる音源送信登録手段と、
を備えた親局装置。
【請求項７】
親局装置と複数の子局装置とを備えた防災行政無線システムの子局装置であって、
前記親局装置から当該子局装置を指定して送信された音源データを受信する音源受信手段と、
前記音源受信手段により受信された音源データを登録する音源登録手段と、
を備えた子局装置。
【請求項８】
親局装置と複数の子局装置とを備えた防災行政無線システムにおける地区別同時異種内容放送方法であって、
前記親局装置は、
前記子局装置を指定し、
複数の音源データうち何れかを選択し、
前記指定された子局装置に対して前記選択された音源データを送信し、
前記子局装置は、
前記親局装置により当該子局装置を指定して送信された音源データを受信し、
前記受信された音源データを登録する、
地区別同時異種内容放送方法。
【発明の詳細な説明】
【技術分野】
【０００１】
本発明の実施形態は、防災行政無線システムおよびその親局装置、子局装置、地区別同時異種内容放送方法に関する。
【背景技術】
【０００２】
従来、防災行政無線システムでは、例えば、市町村の庁舎に設置した親局装置からの地域住民向けに、防災放送や各種お知らせ等を音声放送によりその行政の管轄地区内に設置した複数の子局装置に送信する。各子局装置では親局から音声信号を受信すると、当該子局装置により音声の拡声出力を行っている。
【０００３】
具体的には、例えば、毎夕定時には時報代わりに「夕焼け小焼○」など、予め決められた楽曲（音源）の音声放送を行なっている。
【０００４】
ところが、昨今の平成大合併等により市町村合併が多数行われており、合併により各市町村の防災行政無線システムが統合されると、統合後の庁舎に設置した１つの親局装置から統合後の全地区を対象に各地区の子局装置を通して音声放送を行なうことになる。この時、全地区一斉に同じ楽曲（音源）の音声放送が行われることになる。
【０００５】
具体的には、例えば、合併前の旧Ａ市町村（ａ地区）では「ふるさ○」、旧Ｂ市町村（ｂ地区）では「家○」、旧Ｃ市町村（ｃ地区）では「夕焼け小焼○」の音声放送を行なっていたのに対し、合併後に旧Ａ市町村（ａ地区）の防災行政無線システムに統合された場合、全地区（ａ，ｂ，ｃ）一斉に「ふるさ○」の音声放送が行われる。
【先行技術文献】
【特許文献】
【０００６】
【特許文献１】特開２００９−２９６２０５号公報
【特許文献２】特開２００７−０６０７１５号公報
【特許文献３】特開２０１５−０８２６８８号公報
【発明の概要】
【発明が解決しようとする課題】
【０００７】
前記従来の防災行政無線システムでは、例えば毎日定時の音声放送を行なう場合、１つの親局装置から各地区の子局装置を通して一斉に同じ音声放送を行なうため、市町村合併により、合併前の音声放送の楽曲（音源）と合併後の音声放送の楽曲（音源）とが異なる地区が生じる。このような地区では、住民が過去慣れ親しんだ楽曲（音源）から、ある日を境に聴き慣れない楽曲（音源）が流れることになり、住民に違和感や混乱を招く恐れがある。
【０００８】
本発明は、このような課題に鑑みなされたもので、同時刻に地区毎で異なる音源の音声放送を行なうことが可能になる防災行政無線システムおよびその親局装置、子局装置、地区別同時異種内容放送方法を提供することを目的とする。
【課題を解決するための手段】
【０００９】
本発明に係る防災行政無線システムは、親局装置と複数の子局装置とを備えた防災行政無線システムであって、
前記親局装置は、前記子局装置を指定する子局指定手段と、複数の音源データうち何れかを選択する音源選択手段と、前記子局指定手段により指定された子局装置に対して前記音源選択手段により選択された音源データを送信する音源送信手段とを備え、
前記子局装置は、前記親局装置の音源送信手段により当該子局装置を指定して送信された音源データを受信する音源受信手段と、前記音源受信手段により受信された音源データを登録する音源登録手段とを備えている。
【発明の効果】
【００１０】
本発明によれば、同時刻に地区毎で異なる音源の音声放送を行なうことが可能になる。
【図面の簡単な説明】
【００１１】
【図１】実施形態の防災行政無線システムの全体構成を示す概略図。
【図２】前記防災行政無線システムにおける無線親局装置１０と無線子局装置２０（２０ａ〜２０ｅ）の電子回路の構成を示すブロック図。
【図３】前記防災行政無線システムにおける無線親局装置１０の親局処理（データ登録制御処理）とこれに対応する無線子局装置２０（２０ａ〜２０ｅ）の子局処理（データ登録処理）とを示すフローチャート。
【図４】前記防災行政無線システムにおける無線親局装置１０の親局処理（放送制御処理）とこれに対応する無線子局装置２０（２０ａ〜２０ｅ）の子局処理（放送処理）とを示すフローチャート。
【発明を実施するための形態】
【００１２】
以下、実施形態の防災行政無線システムおよびその親局装置、子局装置、地区別同時異種内容放送方法について図面を参照して説明する。
【００１３】
図１は、実施形態の防災行政無線システムの全体構成を示す概略図である。
【００１４】
この防災行政無線システムは、例えば市町村の行政庁舎４０に設置される無線親局装置１０と該当市町村の同報対象エリア（Ａ地区）に分散して設置される複数の無線子局装置２０とを備える。当該複数の無線子局装置２０には、屋外拡声子局装置２０ａ，２０ｃ、戸別子局装置２０ｂ，２０ｄ、再送信子局装置２０ｅがある。
【００１５】
なお、本実施形態において、前記同報対象エリア（Ａ地区）は、旧市町村のａ地区とｂ地区とが市町村合併により統合されたエリアと仮定する。
【００１６】
前記無線親局装置１０は、ＡＣ１００Ｖの商用電源を耐雷トランスＴから直流電源装置Ｅを介して直流に変換した電源電圧により駆動され、前記庁舎４０内の操作卓４１又は消防署、支所等４２に設置された遠隔制御装置４３の操作に応じて動作する。
【００１７】
前記無線親局装置１０の操作卓４１には、地図表示装置４４が設けられる。当該地図表示装置４４は、例えば前記同報対象エリア（Ａ地区）の地図や当該エリア内の各種の情報・状況を表示する。
【００１８】
前記各無線子局装置２０は、ＡＣ１００Ｖの商用電源により駆動される。前記各無線子局装置２０は、前記無線親局装置１０又は中継局３０から送信された同報波Ｗｓ、前記再送信子局装置２０ｅから送信された再送信波Ｗｒｓの何れかを受信して動作し、前記無線親局装置１０からの放送制御信号が受信された場合に放送対象の音源（音声）を拡声出力するスピーカＳＰを有する。また、前記無線親局装置１０、各無線子局装置２０、中継局３０は、無線電波を送信又は受信又は送受信するアンテナＡＴを有する。
【００１９】
前記中継局３０は、前記無線親局装置１０から送信された中継波Ｗｃを受信して中継し、前記各無線子局装置２０への同報波Ｗｓを送信する。前記同報波Ｗｓと中継波Ｗｃとは、例えば何れも６０ＭＨｚの周波数帯で異なるチャンネルを使用する。
【００２０】
そして、前記無線親局装置１０は、前記同報対象エリア（Ａ地区）内の各無線子局装置２０（２０ａ〜２０ｅ）を、個別に指定、またはａ地区／ｂ地区毎のグループで指定、または一括で指定して、当該指定した無線子局装置２０に対し同無線子局装置２０からの音声放送の対象となる音源（音声）のデータを配信して登録する機能（データ登録制御モード）、前記同報対象エリア（Ａ地区）内の各無線子局装置２０（２０ａ〜２０ｅ）を、一括で指定、またはａ地区／ｂ地区毎のグループで指定、または個別に指定して、当該指定した無線子局装置２０に対し同無線子局装置２０に登録されている音源（音声）を再生（音声放送）させる機能（放送制御モード）を有する。
【００２１】
また、前記各無線子局装置２０（２０ａ〜２０ｅ）は、前記無線親局装置１０からの自局を指定したデータ登録制御信号を受信して当該データ登録制御信号に含まれる配信データ（音源）を登録する機能、前記無線親局装置１０からの自局を指定した放送制御信号を受信して同自局に登録されている配信データ（音源）を再生（音声放送）する機能を有する。
【００２２】
なお、前記無線親局装置１０、前記各無線子局装置２０（２０ａ〜２０ｅ）は、前記商用電源（ＡＣ１００Ｖ）の停電時には、図示しない非常用電源、または、同親局装置１０、同子局装置２０が有する蓄電池により駆動される。
【００２３】
図２は、前記防災行政無線システムにおける無線親局装置１０と無線子局装置２０（２０ａ〜２０ｅ）の電子回路の構成を示すブロック図である。
【００２４】
前記無線親局装置１０は、コンピュータとしての制御部（ＣＰＵ）１１を備えている。
【００２５】
前記制御部１１は、メモリ部１２に予め記憶された親局制御プログラム１２ａに従い回路各部の動作を制御する。前記親局制御プログラム１２ａは、操作部１４（操作卓４１，遠隔制御装置４３）からのユーザ操作に応じた入力信号、あるいは予め設定された時刻（定時）の計時信号、あるいは送受信部１３による前記無線子局装置２０からの受信信号に応じて起動される。
【００２６】
前記制御部１１には、前記メモリ部１２、送受信部１３、操作部１４が接続される他に、表示部１５（地図表示装置４４を含む）が接続される。
【００２７】
この無線親局装置１０は、商用電源（ＡＣ１００Ｖ）に接続した電源部１６（耐雷トランスＴ，直流電源装置Ｅを含む）により駆動され、当該電源部１６は停電時に例えば４８時間あるいは７２時間（停電時動作時間）電源を確保することが可能な蓄電池１６ａを有する。なお、この電源部１６は、行政庁舎４０の非常用発電機（図示せず）から電源の供給を受けることができる。
【００２８】
前記送受信部１３は、変復調部１３ａを有する。前記変復調部１３ａは、前記データ登録制御モードでは、前記制御部１１により生成されたデータ登録制御信号を変調してアンテナＡＴから前記無線子局装置２０へ送信する。また、前記放送制御モードでは、前記制御部１１により生成された放送制御信号を変調してアンテナＡＴから前記無線子局装置２０へ送信し、当該無線子局装置２０からアンテナＡＴを介して受信された放送応答信号を復調して前記制御部１１に出力する。
【００２９】
前記メモリ部１２には、前記親局制御プログラム１２ａが記憶される他に、子局識別データ（一括／グループ／個別）１２ｂ、子局メモリエリア指定データ（エリア１，２，３，…）１２ｃ、配信データ（音源Ａ／Ｂ／Ｃ／…）１２ｄ等が記憶される。
【００３０】
前記子局識別データ（一括／グループ／個別）１２ｂとしては、前記同報対象エリア（Ａ地区）内の各無線子局装置２０（２０ａ〜２０ｅ）の子局識別番号を、一括で指定するためのデータ（子局識別番号（一括））と、ａ地区／ｂ地区毎等のグループで指定するためのデータ（子局識別番号（ａ地区／ｂ地区））と、個別に指定するためのデータ（子局識別番号（２０ａ／２０ｂ／…／２０ｅ））とが記憶される。
【００３１】
前記子局メモリエリア指定データ（エリア１，２，３，…）１２ｃとしては、各無線子局装置２０（２０ａ〜２０ｅ）に共通に備えられる放送対象の音源（音声）を登録しておくための配信データメモリ２２ｃ内の複数のメモリエリアのうち、何れかを指定するためのデータ（メモリエリア番号１，２，３，…）が記憶される。
【００３２】
前記配信データ（音源Ａ／Ｂ／Ｃ／…）１２ｄとしては、前記同報対象エリア（Ａ地区）内で、例えばａ地区／ｂ地区毎に異なる音源（音声）の音声放送を行なうための複数種類の音源データ（例えば、音源Ａ；ふるさ○／音源Ｂ；家○／音源Ｃ；夕焼け小焼○）が記憶される。
【００３３】
このように構成された無線親局装置１０は、前記制御部１１が前記親局制御プログラム１２ａに記述された命令に従い回路各部の動作を制御し、ソフトウエアとハードウエアとが協働して動作することにより、後述の動作説明で述べるような、各種の機能（データ登録制御機能／放送制御機能／データ削除機能等）を実現する。
【００３４】
前記無線子局装置２０（２０ａ〜２０ｅ）は、コンピュータとしての制御部（ＣＰＵ）２１を備えている。
【００３５】
前記制御部２１は、メモリ部２２に予め記憶された子局制御プログラム２２ａに従い回路各部の動作を制御する。前記子局制御プログラム２２ａは、送受信部２３による前記無線親局装置１０からの受信信号（データ登録制御信号／放送制御信号／データ削除制御信号等）に応じて起動される。
【００３６】
前記制御部２１には、前記メモリ部２２、送受信部２３が接続される他に、音声増幅部２４を介してスピーカＳＰが接続される。
【００３７】
前記無線子局装置２０は、商用電源（ＡＣ１００Ｖ）に接続した電源部２５により駆動され、当該電源部２５は停電時に例えば４８時間あるいは７２時間（停電時動作時間）電源を確保することが可能な蓄電池２５ａを有する。
【００３８】
前記送受信部２３は、変復調部２３ａを有する。前記変復調部２３ａは、アンテナＡＴを介して受信された前記無線親局装置１０からの受信信号を復調してデジタル変換し、デジタル変換された受信信号を前記制御部２１に出力する。
【００３９】
前記メモリ部２２には、前記子局制御プログラム２２ａの他に、自局識別データ２２ｂが記憶され、また、配信データメモリ２２ｃ等が確保される。
【００４０】
前記自局識別データ２２ｂとしては、前記無線親局装置１０から受信される制御信号が自局を指定した制御信号であることを識別するために当該自局の子局識別番号のデータが記憶される。
【００４１】
前記配信データメモリ２２ｃには、複数のメモリエリア（エリア番号１，２，３，…）が確保され、前記無線親局装置１０からのデータ登録制御信号として、子局識別番号とメモリエリア番号ｎを指定して配信されてくる配信データ（放送対象の音源（音声）のデータ）が、当該指定のメモリエリアに登録され記憶される。
【００４２】
前記音声増幅部２４は、前記無線親局装置１０から子局識別番号と前記配信データメモリ２２ｃのメモリエリア番号ｎとを指定した放送制御信号が受信された場合に、当該配信データメモリ２２ｃの指定のメモリエリアｎから読み出された配信データ（放送対象の音源（音声信号））を増幅し、スピーカＳＰから拡声音声として再生して出力させる。
【００４３】
このように構成された無線子局装置２０（２０ａ〜２０ｅ）は、前記制御部２１が前記子局制御プログラム２２ａに記述された命令に従い回路各部の動作を制御し、ソフトウエアとハードウエアとが協働して動作することにより、以下の動作説明で述べるような、各種の機能（データ登録機能／音声放送機能／データ削除機能等）を実現する。
【００４４】
次に、前記構成の防災行政無線システムにおける無線親局装置１０と無線子局装置２０（２０ａ〜２０ｅ）の動作について説明する。
【００４５】
図３は、前記防災行政無線システムにおける無線親局装置１０の親局処理（データ登録制御処理）とこれに対応する無線子局装置２０（２０ａ〜２０ｅ）の子局処理（データ登録処理）とを示すフローチャートである。
【００４６】
無線親局装置１０において、操作部１４のユーザ操作に応じて当該親局装置１０の動作モードがデータ登録制御モードに設定されると（ステップＰ１（登録））、メモリ部１２に記憶されている子局識別データ１２ｂに基づいて、音源データの登録対象となる無線子局装置２０の子局識別番号が、個別／グループ／一括の何れかから指定される（ステップＰ２）。
【００４７】
ここでは、無線親局装置１０の同報対象エリア（Ａ地区）のうち、先ず、市町村合併前のａ地区の無線子局装置２０ａ，２０ｂの各子局識別番号がグループとして指定される。
【００４８】
また、前記メモリ部１２に記憶されている子局メモリエリア指定データ１２ｃに基づいて、前記音源データの登録対象となるメモリエリアの番号が、例えばエリア１，２，３から指定される（ステップＰ３）。
【００４９】
ここでは、例えば、メモリエリア番号“１”が指定される。
【００５０】
また、前記メモリ部１２に記憶されている配信データ１２ｄに基づいて、前記登録対象の音源データが、例えば、音源Ａ；ふるさ○、音源Ｂ；家○、音源Ｃ；夕焼け小焼○、の何れかから選択される（ステップＰ４）。
【００５１】
ここでは、例えば、「音源Ａ；ふるさ○」が選択される。
【００５２】
すると、前記ステップＰ２にてグループとして指定されたａ地区の無線子局装置２０ａ，２０ｂの各子局識別番号と前記ステップＰ３にて指定されたメモリエリア番号“１”に対して、前記ステップＰ４にて選択された登録対象とする配信データ「音源Ａ；ふるさ○」を付加したデータ登録制御信号が生成され、送受信部１３から送信される（ステップＰ５）。
【００５３】
この後、前記同報対象エリア（Ａ地区）内に異なる配信データ（音源）を登録対象とする他の無線子局装置２０が存在する場合は、前記ステップＰ２以降の処理が同様に繰り返される（ステップＰ６（Ｙｅｓ）→Ｐ２）。
【００５４】
ここでは、例えば、他のグループとして指定されたｂ地区の無線子局装置２０ｃ〜２０ｅの各子局識別番号とメモリエリア番号“１”に対して、新たに選択された登録対象とする配信データ「音源Ｂ；家○」を付加したデータ登録制御信号が生成され、送受信部１３から送信される（ステップＰ２〜Ｐ５）。
【００５５】
前記同報対象エリア（Ａ地区）におけるａ地区の無線子局装置２０ａ，２０ｂにおいて、メモリ部２２の自局識別データ２２ｂに基づき、当該自局の子局識別番号が含まれているデータ登録制御信号が受信されたと判断されると（ステップＱ１（登録））、受信したデータ登録制御信号から、指定のメモリエリア番号ｎ（ここでは“１”）と配信データ（ここでは「音源Ａ；ふるさ○」）が抽出される（ステップＱ２）。
【００５６】
すると、前記メモリ部２２の配信データメモリ２２ｃにおける前記指定のメモリエリア（エリア番号“１”）に対して、前記受信された配信データ「音源Ａ；ふるさ○」が登録される（ステップＱ３）。
【００５７】
一方、前記同報対象エリア（Ａ地区）におけるｂ地区の無線子局装置２０ｃ〜２０ｅにおいても、前記ステップＱ１〜Ｑ３の処理が同様に実行され、その配信データメモリ２２ｃにおける指定のメモリエリア（エリア番号“１”）に対して、受信された配信データ「音源Ｂ；家○」が登録される。
【００５８】
この後、前記同様に、無線親局装置１０におけるデータ登録制御モードでの親局処理（ステップＰ１〜Ｐ６）と、無線子局装置２０（２０ａ〜２０ｅ）におけるデータ登録制御信号を受信した場合の子局処理（ステップＱ１〜Ｑ３）と、が繰り返し実行されることで、前記同報対象エリア（Ａ地区）のうち、市町村合併前のａ地区にある無線子局装置２０ａ，２０ｂの配信データメモリ２２ｃには、メモリエリア“１”に「音源Ａ；ふるさ○」、メモリエリア“２”に「音源Ｃ；夕焼け小焼○」、メモリエリア“３”に「音源Ｂ；家○」が登録され、また、市町村合併前のｂ地区にある無線子局装置２０ｃ〜２０ｅの配信データメモリ２２ｃには、メモリエリア“１”に「音源Ｂ；家○」、メモリエリア“２”に「音源Ｃ；夕焼け小焼○」、メモリエリア“３”に「音源Ａ；ふるさ○」が登録されたと仮定する（図２参照）。
【００５９】
図４は、前記防災行政無線システムにおける無線親局装置１０の親局処理（放送制御処理）とこれに対応する無線子局装置２０（２０ａ〜２０ｅ）の子局処理（放送処理）とを示すフローチャートである。
【００６０】
無線親局装置１０において、操作部１４のユーザ操作に応じて当該親局装置１０の動作モードが放送制御モードに設定されると（ステップＰ１（放送））、図４（Ａ）に示す放送制御処理に移行される（ステップＰＴ）。
【００６１】
この放送制御処理（ＰＴ）は、例えば、制御部１１に内蔵される計時回路において、予め設定された時刻（例えば１７：００（第１時刻））の計時信号が出力される毎に繰り返し実行される。
【００６２】
先ず、前記定時（１７：００）の音声放送の対象とする無線子局装置２０（２０ａ〜２０ｅ）が、前記メモリ部１２に記憶されている子局識別データ１２ｂに基づき自動的に指定される（ステップＴ１）。
【００６３】
ここでは、無線親局装置１０の同報対象エリア（Ａ地区）内の全ての無線子局装置２０ａ〜２０ｅの各子局識別番号が一括して自動的に指定される。
【００６４】
また、前記定時（１７：００）の音声放送の対象とする音源のデータが記憶されている前記無線子局装置２０（２０ａ〜２０ｅ）の配信データメモリ２２ｃにおけるメモリエリアの番号が自動的に指定される（ステップＴ２）。
【００６５】
ここでは、例えば、メモリエリア番号“１”が指定される。
【００６６】
すると、前記ステップＴ１にて一括指定された同報対象エリア（Ａ地区）内の全ての無線子局装置２０ａ〜２０ｅの各子局識別番号と前記ステップＴ２にて指定されたメモリエリア番号“１”を付加した放送制御信号が生成され、送受信部１３から送信される（ステップＴ３）。
【００６７】
前記同報対象エリア（Ａ地区）内の全ての無線子局装置２０ａ〜２０ｅにおいて、メモリ部２２の自局識別データ２２ｂに基づき、当該自局の子局識別番号が含まれている放送制御信号が受信されたと判断されると（ステップＱ１（放送））、図４（Ｂ）に示す放送処理に移行される（ステップＱＲ）。
【００６８】
すると、受信した放送制御信号から、指定のメモリエリア番号ｎ（ここでは“１”）が抽出される（ステップＲ１）。
【００６９】
そして、前記メモリ部２２における配信データメモリ２２ｃの前記指定のメモリエリア（エリア番号“１”）に登録されている配信データ（ａ地区の無線子局装置２０ａ，２０ｂでは「音源Ａ；ふるさ○」、ｂ地区の無線子局装置２０ｃ〜２０ｅでは「音源Ｂ；家○」）が読み出されて再生され、音声増幅部２４を介してスピーカＳＰから出力される（ステップＲ２）。
【００７０】
これにより、前記無線親局装置１０の同報対象エリア（Ａ地区）に対する定時（１７：００）の音声放送を、当該同報対象エリア（Ａ地区）内のａ地区では市町村合併前と同じ音源である「音源Ａ；ふるさ○」で行うことができ、ｂ地区でも市町村合併前と同じ音源である「音源Ｂ；家○」で行うことができる。
【００７１】
さらに、前記同様に、前記無線親局装置１０による放送制御処理（ＰＴ；Ｔ１〜Ｔ３）を、例えば、予め設定された第２時刻（８：００）には放送対象のメモリエリア番号“２”を指定し、また第３時刻（１２：００）には放送対象のメモリエリア番号“３”を指定し、前記同報対象エリア（Ａ地区）内の全ての無線子局装置２０ａ〜２０ｅを一括指定して繰り返し行うことで、同報対象エリア（Ａ地区）内同時刻の音声放送であっても、地区ａでは８：００に「音源Ｃ；夕焼け小焼○」、１２：００に「音源Ｂ；家○」、１７：００に「音源Ａ；ふるさ○」の音声放送を行なうことができ、また、地区ｂでは８：００に「音源Ｃ；夕焼け小焼○」、１２：００に「音源Ａ；ふるさ○」、１７：００に「音源Ｂ；家○」の前記地区ａとは異なる音声放送を行なうことができる。
【００７２】
したがって、前記構成の防災行政無線システムによれば、無線親局装置１０において、同報対象エリア（Ａ地区）に含まれる各地区（ａ，ｂ）のうち、グループ指定したａ地区の無線子局装置２０ａ，２０ｂに対しては、指定のメモリエリア番号“１”と選択した放送対象の音源Ａを付加したデータ登録制御信号を送信し、前記指定のメモリエリア“１”に前記選択した音源Ａを登録する。また、グループ指定したｂ地区の無線子局装置２０ｃ〜２０ｅに対しては、指定のメモリエリア番号“１”と選択した放送対象の音源Ｂを付加したデータ登録制御信号を送信し、前記指定のメモリエリア“１”に前記選択した音源Ｂを登録する。
【００７３】
そして、前記無線親局装置１０から同報対象エリア（Ａ地区）の全ての無線子局装置２０ａ〜２０ｂを一括指定し前記メモリエリア“１”を指定した放送制御信号を送信すると、ａ地区の無線子局装置２０ａ，２０ｂでは音源Ａの音声放送が行われ、ｂ地区の無線子局装置２０ｃ〜２０ｅでは音源Ｂの音声放送が行われる。
【００７４】
これにより、同時刻に地区毎で異なる音源の音声放送を容易に行なうことができるので、例えば、市町村合併により、合併前の定時の音声放送の楽曲（音源）と合併後の定時の音声放送の楽曲（音源）とが異なる地区が生じるのを無くすことができる。
【００７５】
なお、前記実施形態の無線親局装置１０におけるデータ登録制御処理（図３（Ａ）参照）および無線子局装置２０（２０ａ〜２０ｅ）におけるデータ登録処理（図３（Ｂ）参照）では、同報対象エリア内の指定の無線子局装置２０（２０ａ〜２０ｅ）の指定のメモリエリアに、選択した音源（Ａ／Ｂ／Ｃ）の配信データを登録する動作について説明した。前記実施形態の防災行政無線システムでは、さらに、前記無線親局装置１０において、任意の無線子局装置２０（２０ａ〜２０ｅ）とそのメモリエリアを指定したデータ削除制御信号を生成して送信する構成を追加し、前記無線子局装置２０において、自局を指定した前記データ削除制御信号を受信した場合に、指定のメモリエリアに登録されている音源を削除するデータ削除処理を行なう構成を追加してもよい。
【００７６】
また、前記各実施形態では、防災行政無線システムの無線親局装置１０と無線子局装置２０（２０ａ〜２０ｅ）について説明したが、他の無線同報システムに前記各実施形態の特徴技術を適用することで、前記各実施形態と同様の効果が得られるのは勿論である。
【００７７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００７８】
１０…無線親局装置、２０（２０ａ〜２０ｅ）…無線子局装置、
１１，２１…制御部（ＣＰＵ）、１２，２２…メモリ部、
１２ａ…親局制御プログラム、１２ｂ…子局識別データ、
１２ｃ…子局メモリエリア指定データ、１２ｄ…配信データ、
２２ａ…子局制御プログラム、２２ｂ…自局識別データ、
２２ｃ…配信データエリア、１３，２３…送受信部、１３ａ，２３ａ…変復調部、
１４…操作部、１５…表示部、２４…音声増幅部、３０…中継局、４０…庁舎、
ＡＴ…アンテナ、ＳＰ…スピーカ。
【図１】
2018207155.tif 000003
【図２】
2018207155.tif 000004
【図３】
2018207155.tif 000005
【図４】
2018207155.tif 000006